(57)【特許請求の範囲】
【請求項１】
複数のタイミングアドバンス使用時の重畳送信に対する電力を割り当てるための方法であって、
第１の周波数の第１のフレームにおいて、第１のタイミングアドバンスを用いた基地局への第１の送信をユーザ機器によりスケジューリングする工程と、
第２のフレームにおいて、第２のタイミングアドバンスを用いた前記基地局への第２の送信を前記ユーザ機器によりスケジューリングする工程であって、前記第２のフレームが前記第１のフレームに遅れて発生し、前記第２のタイミングアドバンスが前記第１のタイミングアドバンスよりも大きい、前記第２の送信をスケジューリングする工程と、
前記基地局へのスケジューリングされた前記第１の送信および前記第２の送信が重畳するものと前記ユーザ機器により判定する工程と、
前記第１および第２のタイミングアドバンスを用いた前記第１の送信および前記第２の送信が重畳するものとの判定に応答して、少なくとも前記第１の送信または前記第２の送信の電力を前記ユーザ機器により低減する工程と、
を含む方法。
【請求項２】
前記第１の送信および前記第２の送信が重畳するものと判定する工程が、前記第１の送信のｎ番目のサブフレームのＯＦＤＭシンボル長の少なくとも一部が前記第２の送信のｎ＋１番目のサブフレームのＯＦＤＭシンボル長と重畳するものと判定する工程を含む、請求項１に記載の方法。
【請求項３】
前記判定に応答して少なくとも前記第１または第２の送信の電力を低減する工程が、非優先的な送信の電力低減に先立って、前記第１または第２の送信を優先させる工程を含む、請求項１に記載の方法。
【請求項４】
前記第１または第２の送信に電力バックオフを適用する指示を含む制御情報を電力バックオフが適用されない周波数において前記ユーザ機器により送信する工程をさらに含む、請求項１、２、または３に記載の方法。
【請求項５】
前記電力を低減する工程が、前記第１の送信のｎ番目のサブフレームの第１のスロットに対応した第１の時間にわたって電力を低減する工程を含む、請求項１または２に記載の方法。
【請求項６】
前記電力を低減する工程が、電力をゼロまで低減する工程を含む、請求項１または２に記載の方法。
【請求項７】
前記第２のタイミングアドバンスが、有線またはファイバ接続を介して前記基地局に中継伝送されるアンテナを含む第２の基地局のアンテナからの遅延を有する、請求項１または２に記載の方法。
【請求項８】
前記第２の基地局のアンテナがリモートラジオヘッド（ＲＲＨ）を含む、請求項７に記載の方法。
【請求項９】
複数のタイミングアドバンス使用時の重畳送信に対する電力を割り当てる装置であって、
第１の周波数の第１のフレームにおいて、第１のタイミングアドバンスを用いた基地局の第１のアンテナへの第１の送信をスケジューリングし、前記第１のフレームに遅れて発生する第２のフレームにおいて、前記第１のタイミングアドバンスよりも大きな第２のタイミングアドバンスを用いた前記基地局の第２のアンテナへの第２の送信をスケジューリングする論理回路を備え、該論理回路は、前記基地局へのスケジューリングされた前記第１の送信および前記第２の送信が重畳するものと判定し、前記第１および第２のタイミングアドバンスを用いた前記第１の送信および前記第２の送信が重畳するものとの判定に応答して、少なくとも前記第１の送信または前記第２の送信の電力を低減する、装置。
【請求項１０】
前記論理回路が、前記第１の送信のｎ番目のサブフレームのＯＦＤＭシンボル長の少なくとも一部が前記第２の送信のｎ＋１番目のサブフレームのＯＦＤＭシンボル長と重畳するものと判定することによって、前記第１の送信および前記第２の送信が重畳するものと判定する、請求項９に記載の装置。
【請求項１１】
前記論理回路が、非優先的な送信の電力低減に先立って、前記第１または第２の送信を優先させることにより、少なくとも前記第１または第２の送信の電力を低減する、請求項１０に記載の装置。
【請求項１２】
前記第１または第２の送信に電力バックオフを適用する指示を含む制御情報を電力バックオフが適用されない周波数において送信する送信機をさらに備える、請求項９、１０、または１１に記載の装置。
【請求項１３】
前記論理回路が、前記第１の送信のｎ番目のサブフレームの第１のスロットに対応した第１の時間にわたって電力を低減することにより電力低減を行う、請求項９または１０に記載の装置。
【請求項１４】
前記論理回路が、電力をゼロまで低減することにより電力低減を行う、請求項９または１０に記載の装置。
【請求項１５】
第２の基地局のアンテナが、有線またはファイバ接続を介して前記基地局に中継伝送されるアンテナを含む、請求項９または１０に記載の装置。
【請求項１６】
前記第２の基地局のアンテナがリモートラジオヘッド（ＲＲＨ）を含む、請求項１５に記載の装置。
【発明の詳細な説明】
【技術分野】
【０００１】
本発明は、一般的には通信システムに関し、具体的には、複数のタイミングアドバンス使用時の重畳送信に対する電力割り当てに関する。
【背景技術】
【０００２】
基地局のサービスエリア拡張のため、リモートラジオヘッド（ＲＲＨ：Ｒｅｍｏｔｅ  Ｒａｄｉｏ  Ｈｅａｄ）が利用されている。次世代の移動体通信システムは、キャリアアグリゲーションの動作の一部として、ＲＲＨ展開周波数のキャリアアグリゲーションにも対応する。また、キャリアアグリゲーションによって、ユーザ側ではデータレートが向上する。キャリアアグリゲーションにおいては、複数のキャリア周波数（「コンポーネントキャリア」）上でユーザ機器（ＵＥ：Ｕｓｅｒ  Ｅｑｕｉｐｍｅｎｔ）とのデータ送受信を行う。このような帯域幅の拡張により、データレートの向上が可能である。
【０００３】
ＵＥには、一連のコンポーネントキャリア（ＣＣ：Ｃｏｍｐｏｎｅｎｔ  Ｃａｒｒｉｅｒ）を設定可能である。具体的には、ＵＥに各コンポーネントキャリア上のセルを設定して、これらセルの一部をアクティブ化するようにしてもよい。そして、アクティブ化セルを用いてデータの送受信が可能である（すなわち、アクティブ化セルを用いてスケジューリングが可能である）。複数ＣＣのアグリゲーションが必要な場合（たとえば、大きなデータバーストの場合等）、ネットワークは、１または複数のＣＣ上の設定セルをアクティブ化可能である。プライマリＣＣと称するＣＣ上には、指定されたプライマリセル（Ｐｃｅｌｌ）が存在しており、これは常にアクティブ化される。その他の設定セルは、Ｓｃｅｌｌと称する（その対応するＣＣは、セカンダリＣＣと称する）。
【０００４】
ＲＲＨは、基地局が使用する周波数とは異なる周波数で展開され、その周波数でホットスポットのようなサービスエリアを提供する。このようなホットスポットに存在するユーザ機器（ＵＥ）は、基地局が使用する周波数およびＲＲＨが使用する周波数のキャリアアグリゲーションを行うため、それに対応したスループットの利益を享受できる。ただし、ＲＲＨは、高位レイヤー処理やスケジューリング等の標準的な基地局機能を実装していない。ＲＲＨが送信するベースバンド信号は、基地局で生成され、高速有線接続（たとえば、光接続等）によりＲＲＨに伝送される。このため、ＲＲＨは、高速接続を有する基地局の遠隔アンテナユニットとして機能する。
【０００５】
基地局１０１、ＲＲＨ１０２、およびＵＥ１０３を図１に示す。当然のことながら、基地局１０１とＲＲＨ１０２との間には非無線接続１０４が存在する。ＵＥ１０３に対しては、基地局１０１およびＲＲＨ１０２の両者から送信が行われる。ただし、基地局１０１からの送信周波数は、ＲＲＨ１０２からの送信周波数とは異なる。
【０００６】
ＲＲＨが存在することにより、（基地局から基地局信号を直接受信することに加えて）ＵＥが基地局信号を受信可能な追加の物理的位置が提供される。また、基地局とＲＲＨとの間の通信には遅延が生じている。この遅延により、ＵＥは、基地局が使用する周波数およびＲＲＨが使用する周波数において、大きく異なる伝搬遅延を認識することになる。その結果、これら２つの周波数に対して、異なるタイミングアドバンスを適用する必要がある。
【０００７】
基地局は、ＵＥにタイミングアドバンスを割り当てることにより、基地局のダウンリンク送信の開始と同時に、ＵＥからのアップリンク送信が基地局で受信されるようにする（アップリンクのサブフレーム境界の受信をダウンリンクのサブフレーム境界の送信に合わせる）。さらに、基地局は、（伝搬遅延に基づいて）異なるＵＥに異なるタイミングアドバンスを割り当てることにより、各ＵＥからのアップリンク送信が同時に受信されるようにする。
【０００８】
単一のタイミングアドバンスを用いたキャリアアグリゲーション（すなわち、関与するすべてのアップリンクＣＣが同じタイミングアドバンスを使用）の場合、アップリンク送信は、時間的に整合が図られる。ただし、ＲＲＨが存在する場合、この前提は無効となる。
【０００９】
図２は、２つの周波数のダウンリンク送信とアップリンク送信との間の時間的関係を示している。具体的には、周波数１（Ｆ１）のダウンリンク（ＤＬ）送信（Ｔｘ）をサブフレーム２０１として、Ｆ１のＤＬ受信（Ｒｘ）をサブフレーム２０２として、Ｆ１のＵＬ  Ｔｘをサブフレーム２０３として、Ｆ１のＵＬ  Ｒｘをサブフレーム２０４としてそれぞれ示している。同様に、Ｆ２のＤＬ  Ｔｘをサブフレーム２０５として、Ｆ２のＤＬ  Ｒｘをサブフレーム２０６として、Ｆ２のＵＬ  Ｔｘをサブフレーム２０７として、Ｆ２のＵＬ  Ｒｘをサブフレーム２０８としてそれぞれ示している。
【００１０】
基地局１０１は、Ｆ１およびＦ２のアップリンク送信が同時に受信されるように試行しているものとする。ＲＲＨ１０２によるＦ２の送信は（アップリンクおよびダウンリンクともに）、ファイバ接続１０４を通した送信および関連するＲＲＨ処理によって、遅延が付加されている。この付加的な遅延は、３０マイクロ秒にもなる。図２に示すように、Ｆ２アップリンクがＦ１アップリンクと同時に基地局へ到達するためには、Ｆ２の送信に対してＵＥが適用するタイミングアドバンスによって、ファイバおよびＲＲＨ処理による遅延を補償する必要がある。
【００１１】
結果として、Ｆ１およびＦ２のアップリンクのサブフレーム２０３、２０４、２０７、および２０８は、時間的に整合しなくなる。図２において、Ｆ２アップリンクのサブフレーム２０７は、Ｆ１アップリンクのサブフレーム２０３より前に開始する。具体的には、Ｆ１アップリンクのサブフレームｎ−１の最後のシンボルが、Ｆ２アップリンクのサブフレームｎの最初のシンボルと重畳する。ＵＥがＦ１のサブフレームｎ−１およびＦ２のサブフレームｎの両者で送信を行う必要がある場合、Ｆ１のサブフレームｎ−１の最後のシンボルまたはＦ２のサブフレームｎの最初のシンボルの送信に利用可能な電力は、制限される場合がある。たとえば、ＵＥは、マクロセルの縁部に存在する場合、シンボル重畳時に必要な電力がＳＡＲ上限を超えることがあるため、所要電力で送信できない場合がある。
【発明の概要】
【発明が解決しようとする課題】
【００１２】
したがって、複数のタイミングアドバンス使用時の重畳送信に対する電力割り当てによって、ＳＡＲ上限を超えることにより移動端末が送信不可となる回数を低減可能な方法および装置が求められている。
【図面の簡単な説明】
【００１３】
【図１】リモートラジオヘッドを採用した通信システムを示す図である。
【図２】アップリンク送信およびダウンリンク送信のタイミングを示す図である。
【図３】移動端末のブロック図である。
【図４】第１または第２の送信に対する電力バックオフを示す図である。
【図５】重畳シンボルを含むスロットに対する電力バックオフを示す図である。
【図６】遷移期間の電力調整動作を示す図である。
【図７】送信中の最大電力レベル超過の問題を有効に解決するための遷移期間の適用を示す図である。
【図８】シンボルのパンクチャリングによる電力制御を示す図である。
【図９】電力ヘッドルーム演算の時系列を示す図である。
【図１０】電力ヘッドルーム演算の時系列を示す図である。
【図１１】より正確な電力ヘッドルームの演算を示す図である。
【図１２】より正確な電力ヘッドルームの演算を示す図である。
【図１３】図３のＵＥの動作を示すフローチャートである。
【発明を実施するための形態】
【００１４】
熟練の技術者には当然のことながら、図面中の各要素は、簡単化および明瞭化を目的としており、必ずしも縮尺通りに描いたものではない。たとえば、本発明の種々実施形態の理解を深めるため、図面中の一部の要素の寸法および相対位置、あるいは図面中の一部の要素の寸法または相対位置は、他の要素よりも誇張している場合がある。また、これら本発明の種々実施形態が遮られることのないように、商業的に実現可能な実施形態において有用または必要となる一般的で十分理解された要素については、図示していない場合が多い。さらに、当然のことながら、特定の動作および工程、あるいは特定の動作または工程は、特定の順序で記述または図示している場合があるものの、当業者であれば、順序に関するそのような具体性が実際には不要であることが理解されよう。また、当業者であれば、「回路」等の特定の実施形態の表現が、持続性コンピュータ可読メモリに格納されたソフトウェア命令を実行する汎用演算装置（たとえば、ＣＰＵ等）または特殊処理装置（たとえば、ＤＳＰ等）によっても同等に可能であることが認識されよう。さらに、当然のことながら、本明細書中で使用する用語および表現は、特定の異なる意味が本明細書中において別途規定されていない限り、上記技術分野の当業者が使用する用語および表現に適した通常の技術的意味を有する。
【００１５】
上述の要求を解決するため、本明細書においては、重畳送信に対する電力割り当て方法および装置を提供する。ユーザ機器は、その動作時に、様々な周波数における単一の基地局への送信が重畳するか否かを判定する。重畳する場合は、１つの周波数の少なくとも１つの送信に対して電力バックオフを行うものとする。周波数の重畳時には少なくとも１つの送信の電力が低減されることになるため、重畳シンボルにおける送信電力がＳＡＲ上限を超えることはない。
【００１６】
ここで、図面を参照して、類似の構成要素には類似の符号を付している。図３は、ユーザ機器３００のブロック図である。図示のように、ユーザ機器３００は、論理回路３０１、受信回路３０２、および送信回路３０３を備えている。論理回路３０１は、デジタルシグナルプロセッサ（ＤＳＰ：Ｄｉｇｉｔａｌ  Ｓｉｇｎａｌ  Ｐｒｏｃｅｓｓｏｒ）、汎用マイクロプロセッサ、プログラマブル論理デバイス、または特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）を備えており、送信機３０３および受信機３０２のアクセスおよび制御に利用する。受信回路３０２および送信回路３０３は、周知の通信プロトコルを用いる通信技術分野で一般的な回路であり、メッセージの送受信手段として機能する。
【００１７】
ユーザ機器３００は、上述のようにキャリアアグリゲーションを行うものであってもよい。より具体的に、ＵＥ３００は、ＲＲＨ展開周波数のキャリアアグリゲーションに対応している。このため、ＵＥ３００は、様々な周波数で基地局１０１と同時に通信可能となる。
【００１８】
上述の通り、ＵＥ３００がＦ１のサブフレームｎ−１およびＦ２のサブフレームｎの両者で送信を行う必要がある場合、Ｆ１のサブフレームｎ−１の最後のシンボルまたはＦ２のサブフレームｎの最初のシンボルの送信に利用可能な電力は、制限される場合がある。たとえば、ＵＥ３００は、マクロセルの縁部に存在する場合、重畳シンボルにおける送信電力がＳＡＲ上限を超えることがある。これらの問題に対処するため、論理回路３０１は、Ｆ１およびＦ２の送信におけるあらゆる重畳を監視する。重畳の状態が検出された場合は、論理回路３０１により、１つの周波数の少なくとも１つの送信に対して電力バックオフを行うものとする。
【００１９】
有意な重畳が存在する場合の重畳シンボルにおける電力バックオフ
Ｆ２のサブフレームｎ＋１の最初のシンボルと重畳する場合に、Ｆ１のサブフレームｎの最後のシンボルにおいてＵＥ３００が適当な電力を送信できないものとすると、これら２つの送信の一方に電力バックオフを適用する必要がある。この場合、受信機３０２は、サブフレームｎにおけるＦ１アップリンク送信のアップリンク許可およびサブフレームｎ＋１におけるＦ２アップリンク送信のアップリンク許可を受信する。その後、論理回路３０１は、Ｆ１およびＦ２の送信が重畳するシンボルを決定するとともに、所要の組み合わせ送信電力が割り当て可能な電力を超えているか否かを判定する。送信電力が上限を超えている場合、論理回路３０１は、Ｆ１またはＦ２（もしくは両者）の所要電力バックオフを決定する。その後、論理回路３０１は、重畳シンボルでのみ、Ｆ１またはＦ２（もしくは両者）に電力バックオフを適用する。
【００２０】
この様子を図４に示す。ＵＥは、Ｆ１のサブフレームｎにおいてアップリンク許可を受ける（４０１）とともに、Ｆ１のサブフレームｎ＋１においてもアップリンク許可を受ける（４０２）。また、ＵＥは、Ｆ２のサブフレームｎにおいてアップリンク許可を受ける（４１１）とともに、Ｆ２のサブフレームｎ＋１においてもアップリンク許可を受ける（４１２）。Ｆ１のサブフレームｎの最後のＯＦＤＭシンボル（４０３）は、Ｆ２のサブフレームｎ＋１の最初のＯＦＤＭシンボル（４１３）と重畳する。Ｆ１は、優先キャリアである。重畳期間における所要総送信電力は、最大許容送信電力を超える。点線４２１は、Ｆ１のサブフレームｎおよびｎ＋１に跨る電力の時間変動を表している。点線４３１は、Ｆ２のサブフレームｎおよびｎ＋１に跨る電力の時間変動を表している。ＵＥは、Ｆ２のサブフレームｎ＋１の最初のＯＦＤＭシンボルにおいて電力バックオフを適用する（４３２）。
【００２１】
キャリアの優先および他のキャリアへのバックオフの適用
論理回路３０１は、以下のようないくつかの基準に基づいて、Ｆ１またはＦ２のいずれかに電力バックオフを優先可能である。
・サブフレームの最後のシンボルにおいてＵＥがサウンディング基準信号（ＳＲＳ：Ｓｏｕｎｄｉｎｇ  Ｒｅｆｅｒｅｎｃｅ  Ｓｉｇｎａｌ）を送信している（設定のある場合）。ＳＲＳの送信電力を低減すると、基地局が、アップリンクリソース割り当てサイズの増加等の動作を行うことができるようになる。このため、ＵＥ３００は、Ｆ１のサブフレームｎの最後のシンボルでＳＲＳを送信するように設定されている場合、Ｆ２アップリンク送信にのみ電力バックオフを適用可能である。
・同様に、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）ペイロードを搬送するシンボルの電力を低減すると、悪影響が出る可能性がある。このため、ユーザ機器３００は、Ｆ１またはＦ２のサブフレームｎにおいてＰＵＣＣＨを送信するように構成されており、ＰＵＣＣＨを搬送していないアップリンク送信に対してのみ電力バックオフを適用可能である。
・Ｆ１およびＦ２ともに、重畳サブフレームにおいて重要な信号を搬送する場合がある。たとえば、ＵＥは、Ｆ１のバンド１のすべてのＣＣおよびＦ２のバンド２のすべてのＣＣについてＰＵＣＣＨを送信するように構成されていてもよいし、Ｆ１においてＰＵＣＣＨを送信し、Ｆ２においてアップリンク制御情報（ＵＣＩ：Ｕｐｌｉｎｋ  Ｃｏｎｔｒｏｌ  Ｉｎｆｏｒｍａｔｉｏｎ）を含む物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を送信するように構成されていてもよい。そして、論理回路３０１は、たとえばＦ２において、これら２つの信号の一方に電力バックオフを適用可能であるとともに、Ｆ２の信号にバックオフが適用済みである旨をＦ１の信号を介してネットワークに示すことができる。たとえば、ユーザ機器３００は、Ｆ１のサブフレームｎおよびＦ２のサブフレームｎ＋１においてＰＵＣＣＨを送信するように構成されている場合、Ｆ２のサブフレームｎ＋１の最初のシンボルに電力バックオフを適用可能であるとともに、サブフレームｎ＋１の最初のシンボルに電力バックオフが適用済みである旨をＦ１のＰＵＣＣＨにおいてネットワークに示すことができる。
【００２２】
単一のシンボル重畳発生時におけるサブフレーム全体への電力バックオフ適用
別のオプションでは、２つのシンボル間に単一のシンボル重畳がある場合でも、Ｆ１およびＦ２の同時送信に対して電力バックオフを適用する。受信機３０２がサブフレームｎにおけるＦ１アップリンク送信のアップリンク許可およびサブフレームｎ＋１におけるＦ２アップリンク送信のアップリンク許可を受信している場合、論理回路３０１は、Ｆ１およびＦ２の送信が重畳する一つのシンボルを決定するとともに、所要の組み合わせ送信電力が割り当て可能な電力（閾値電力）を超えているか否かを判定する。閾値電力を超えている場合、論理回路３０１は、（重畳が単一のシンボルのみであっても）Ｆ１およびＦ２の同時送信に必要な電力バックオフを適用する。すなわち、ユーザ機器３００は、Ｆ１のサブフレームｎとＦ２のサブフレームｎ＋１との時間的整合が厳密に図られているかのように動作する。
【００２３】
スロット境界における電力変更
サブフレーム全体（Ｃ）に電力バックオフを適用するのは非効率である。一方、重畳シンボルにのみ電力バックオフを適用すると、基地局における復号が難しくなる可能性がある（重畳シンボルにのみ電力バックオフを適用すると、重畳シンボルの送信電力がサブフレームのその他のシンボルと異なってしまう）。そこで、重畳シンボルを含むスロットに電力バックオフを適用すると都合が良い。各スロットに復調基準シンボル（ＤＭＲＳ：Ｄｅｍｏｄｕｌａｔｉｏｎ  Ｒｅｆｅｒｅｎｃｅ  Ｓｙｍｂｏｌ）の送信が含まれるものとすると、基地局３００では、アップリンク送信をより確実に復号可能である。
【００２４】
重畳シンボルを含むスロットへの電力バックオフの適用を図５に示す。ＵＥは、Ｆ１のサブフレームｎにおいてアップリンク許可を受ける（５０１）とともに、Ｆ１のサブフレームｎ＋１においてもアップリンク許可を受ける（５０２）。また、ＵＥは、Ｆ２のサブフレームｎにおいてアップリンク許可を受ける（５１１）とともに、Ｆ２のサブフレームｎ＋１においてもアップリンク許可を受ける（５１２）。Ｆ１のサブフレームｎの最後のＯＦＤＭシンボル（５０３）は、Ｆ２のサブフレームｎ＋１の最初のＯＦＤＭシンボル（５１３）と重畳する。Ｆ１は、優先キャリアである。重畳期間における所要総送信電力は、最大許容送信電力を超える。点線５２１は、Ｆ１のサブフレームｎおよびｎ＋１に跨る電力の時間変動を表している。点線５３１は、Ｆ２のサブフレームｎおよびｎ＋１に跨る電力の時間変動を表している。ＵＥは、Ｆ２のサブフレームｎ＋１の最初のスロットにおいて電力バックオフを適用している（５３２）が、Ｆ２のサブフレームｎ＋１の２番目のスロットにおいては電力バックオフを適用していない（５３３）。
【００２５】
遷移期間のシフト／変更
ＵＥ３００は、連続するスロット間に「遷移期間」を設けて電力を調整することができる。リソース割り当ては２つのスロットで異なる場合があるため、スロット境界における電力調整が必要である。遷移期間を利用して、電力を所要レベルに調整（増減）する。遷移期間は通常、スロット境界前後の短時間である（たとえば、スロット境界の前後２０マイクロ秒で、合計４０マイクロ秒である）。
【００２６】
遷移期間は、以下のように適応可能である。
１．受信機３０２は、サブフレームｎにおけるＦ１アップリンク送信のアップリンク許可およびサブフレームｎ＋１におけるＦ２アップリンク送信のアップリンク許可を受信する。
２．論理回路３０１は、Ｆ１およびＦ２の送信が重畳する重畳期間を決定する。
３．論理回路３０１は、重畳期間を遷移期間と見なす。２つのキャリアの場合、両キャリアの一方の遷移期間をシフト可能である。ＴＡが大きい方のキャリアのサブフレーム開始時における遷移期間は、当該サブフレームの最初のシンボルに含まれるように後倒しされる（あるいは、ＴＡが小さい方のキャリアのサブフレーム終了時における遷移期間は、当該サブフレームの最後のシンボルに含まれるように前倒しされる）。重畳するシンボルに含まれるように遷移期間をシフトすると、ユーザ機器３００は、柔軟な電力調整が可能となる（遷移期間中にＵＥが電力を変化させるものとする）。したがって、この手法により、ユーザ機器３００は、電力バックオフを一切適用することなく重畳期間を取り扱い可能となる。
【００２７】
図６は、遷移期間の電力調整動作を示す図である。ＵＥは、サブフレームｎにおいてアップリンク許可を受ける（６０１）とともに、サブフレームｎ＋１においてもアップリンク許可を受ける（６０２）。ＵＥの送信リソースは、サブフレームの最初のスロットから２番目のスロットへと変化し得る。ＵＥは、遷移期間中の各サブフレームのスロット１からスロット２への遷移において送信電力を調整する（６１１）。点線６２１は、サブフレームｎおよびｎ＋１に跨る送信電力の変動を表している。
【００２８】
図７は、上述の問題を有効に解決するための遷移期間の適用を示す図である。ＵＥは、Ｆ１のサブフレームｎにおいてアップリンク許可を受ける（７０１）とともに、Ｆ１のサブフレームｎ＋１においてもアップリンク許可を受ける（７０２）。また、ＵＥは、Ｆ２のサブフレームｎにおいてアップリンク許可を受ける（７１１）とともに、Ｆ２のサブフレームｎ＋１においてもアップリンク許可を受ける（７１２）。Ｆ１のサブフレームｎの最後のＯＦＤＭシンボルは、Ｆ２のサブフレームｎ＋１の最初のＯＦＤＭシンボルと重畳する（７１３）。Ｆ１は、優先キャリアである。重畳期間における所要総送信電力は、最大許容送信電力を超える。点線７２１は、Ｆ１のサブフレームｎおよびｎ＋１に跨る電力の時間変動を表している。点線７３１は、Ｆ２のサブフレームｎおよびｎ＋１に跨る電力の時間変動を表している。期間７２２は、Ｆ１の遷移期間を表している。また、期間７３２、７３３、および７３５は、Ｆ２の元の遷移期間を表している。ＵＥは、元の遷移期間７３３を新たな遷移期間７３４にシフトして、当該新たな遷移期間がＦ２のサブフレームｎ＋１の最初のＯＦＤＭシンボルと重畳するようにする（７１３）。
【００２９】
非優先ＣＣの最初／最後のシンボルのパンクチャリング
１．論理回路３０１は、送信を行うアップリンクＣＣの中から、優先コンポーネントキャリアを決定する。この優先ＣＣは、プライマリＣＣまたは物理アップリンク制御チャネル（ＰＵＣＣＨ）を搬送するＣＣであってもよい。また、アップリンク制御情報（ＵＣＩ）を含むＰＵＳＣＨを搬送するＣＣも可能である。ＵＥは、サブフレームに対して、優先ＣＣに必要な電力を割り当てる。
２．非優先ＣＣでの送信の場合、論理回路３０１は、以下のようにシンボルのパンクチャリング（すなわち、ゼロ送信電力の使用）を送信機３０３に指示する。
ａ．非優先ＣＣのタイミングアドバンス（ＴＡ）が優先ＣＣのＴＡより大きい場合は、非優先ＣＣの最初のシンボルをパンクチャリングする。
ｂ．非優先ＣＣのＴＡが優先ＣＣのＴＡより小さい場合は、非優先ＣＣの最後のシンボルをパンクチャリングする。
注）上記「ａ」「ｂ」を行うのは、非優先ＣＣの最初／最後のシンボルにおける所要総電力が最大許容送信電力を超える場合のみである。
【００３０】
シンボルのパンクチャリングを図８に示す。ＵＥは、Ｆ１のサブフレームｎにおいてアップリンク許可を受ける（８０１）とともに、Ｆ１のサブフレームｎ＋１においてもアップリンク許可を受ける（８０２）。また、ＵＥは、Ｆ２のサブフレームｎにおいてアップリンク許可を受ける（８１１）とともに、Ｆ２のサブフレームｎ＋１においてもアップリンク許可を受ける（８１２）。さらに、ＵＥは、Ｆ３のサブフレームｎにおいてアップリンク許可を受ける（８２１）とともに、Ｆ３のサブフレームｎ＋１においてもアップリンク許可を受ける（８２２）。Ｆ１のサブフレームｎの最後のＯＦＤＭシンボル（８０３）は、Ｆ２のサブフレームｎ＋１の最初のＯＦＤＭシンボル（８１３）と重畳する。Ｆ２のサブフレームｎの最後のＯＦＤＭシンボルは、Ｆ３の最初のＯＦＤＭシンボル（８２３）と重畳する。Ｆ２は、優先キャリアである。重畳期間における所要総送信電力は、最大許容送信電力を超える（８６１）。キャリアＦ１のタイミングアドバンスは、キャリアＦ２のタイミングアドバンスよりも小さい。このため、ＵＥは、Ｆ１のサブフレームｎの最後のＯＦＤＭシンボル（８０３）をパンクチャリング可能である。また、キャリアＦ３のタイミングアドバンスは、キャリアＦ２のタイミングアドバンスよりも大きい。このため、ＵＥは、キャリアＦ３のサブフレームｎ＋１の最初のＯＦＤＭシンボル（８２３）をパンクチャリング可能である。
【００３１】
非優先周波数における利用可能電力の割り当て
１．論理回路３０１は、送信を行うアップリンクＣＣの中から、優先ＣＣを決定する。この優先ＣＣは、プライマリＣＣまたはＰＵＣＣＨを搬送するＣＣであってもよい。また、ＵＣＩを含むＰＵＳＣＨを搬送するＣＣも可能である。さらには、ＴＡ値が最小のＣＣも可能である。そして、論理回路３０１は、サブフレームに対して、優先ＣＣに必要な電力を割り当てる。
【００３２】
２．各非優先ＣＣｉのサブフレームｎの最初のスロットを送信する場合、論理回路３０１は初めに、コンポーネントキャリアの所要電力を決定する。送信電力Ｐｃｃ（ｉ）は、以下のように演算する。
ａ．ＣＣｉのＴＡが優先ＣＣのＴＡより大きい場合、Ｐｃｃ（ｉ）は、ＣＣｉのサブフレームｎの最初のスロットにおいて必要な電力である。
ｂ．ＣＣｉのＴＡが優先ＣＣのＴＡ以下の場合、Ｐｃｃ（ｉ）は、ＣＣｉのサブフレームｎ−１の２番目のスロットにおいて必要な電力およびＣＣｉのサブフレームｎの最初のスロットにおいて必要な電力のうちの大きい方である。
【００３３】
３．各非優先ＣＣｉのサブフレームｎの２番目のスロットを送信する場合、論理回路３０１は初めに、ＣＣｉの所要電力を決定する。Ｐｃｃ（ｉ）は、以下のように演算する。
ａ．ＣＣｉのＴＡが優先ＣＣのＴＡより大きい場合、Ｐｃｃ（ｉ）は、ＣＣｉのサブフレームｎ＋１の最初のスロットにおいて必要な電力およびＣＣｉのサブフレームｎの２番目のスロットにおいて必要な電力のうちの大きい方である。
ｂ．ＣＣｉのＴＡが優先ＣＣのＴＡ以下の場合、Ｐｃｃ（ｉ）は、ＣＣｉのサブフレームｎの２番目のスロットにおいて必要な電力である。
【００３４】
なお、上記方法では、サブフレームｎ＋１において必要な電力とサブフレームｎにおいて必要な電力とを比較して最終的な電力割り当てを決定する必要がある。このため、ユーザ論理回路３０１は、事前に（すなわち、「ルックアヘッド」で）サブフレームｎ＋１におけるＵＬ許可を考慮する必要がある。
【００３５】
非優先ＣＣにおいて利用可能電力を割り当てる別の方法
１．論理回路３０１は、送信を行うアップリンクＣＣの中から、優先ＣＣを決定する。この優先ＣＣは、プライマリＣＣまたはＰＵＣＣＨを搬送するＣＣであってもよい。また、ＵＣＩを含むＰＵＳＣＨを搬送するＣＣも可能である。さらには、ＴＡ値が最小のＣＣも可能である。ＵＥは、サブフレームに対して、優先ＣＣに必要な電力を割り当てる。
【００３６】
２．各非優先ＣＣｉのサブフレームｎの最初のスロットを送信する場合、論理回路３０１は初めに、Ｐｃｃ（ｉ）を決定する。すべてのＰｃｃ（ｉ）を演算した後、論理回路３０１は、異なるＣＣごとに重みを割り当てることにより、非優先ＣＣに利用可能電力を配分する（たとえば、Ｐｃｃ（ｉ）に比例して利用可能電力を配分する）。Ｐｃｃ（ｉ）は、以下のように演算する。
ａ．ＣＣｉのＴＡが優先ＣＣのＴＡより大きい場合、Ｐｃｃ（ｉ）は、ＣＣｉのサブフレームｎの最初のスロットにおいて必要な電力である。
ｂ．ＣＣｉのＴＡが優先ＣＣのＴＡ以下の場合、Ｐｃｃ（ｉ）は、ＣＣｉのサブフレームｎ−１の２番目のスロットにおいて必要な電力およびＣＣｉのサブフレームｎの最初のスロットにおいて必要な電力のうちの大きい方である。
【００３７】
３．各非優先ＣＣｉのサブフレームｎの２番目のスロットを送信する場合、論理回路３０１は初めに、Ｐｃｃ（ｉ）を決定する。すべてのＰｃｃ（ｉ）を演算した後、ＵＥは、異なるＣＣごとに重みを割り当てることにより、非優先ＣＣに利用可能電力を配分する（たとえば、Ｐｃｃ（ｉ）に比例して利用可能電力を配分する）。Ｐｃｃ（ｉ）は、以下のように演算する。
ａ．ＣＣｉのＴＡが優先ＣＣのＴＡより大きい場合、Ｐｃｃ（ｉ）は、所定の電力値である。たとえば、この所定の電力値としては、ＣＣｉのＰｃｍａｘ，ｃが可能である。
ｂ．ＣＣｉのＴＡが優先ＣＣのＴＡ以下の場合、Ｐｃｃ（ｉ）は、ＣＣｉのサブフレームｎの２番目のスロットにおいて必要な電力である。
【００３８】
なお、上記方法では、最終的な電力割り当てを決定するのに、サブフレームｎ＋１において必要な電力とサブフレームｎにおいて必要な電力とを比較する必要がない。
非優先ＣＣにおいて利用可能電力を割り当てる別の方法
論理回路３０１によるＣＣへの電力割り当ては、それぞれの送信時間の順で行うことも可能である。すなわち、サブフレームｎの場合は、ＴＡが最大のＣＣ（アップリンク送信のスケジューリング済みの場合）に必要な電力が割り当てられる。その後、ＴＡが２番目のＣＣに必要な電力が割り当てられ、以下同様である。
【００３９】
ネットワークへの電力バックオフの通知
電力バックオフの適用は、少なくとも一部の通信に対して、ＵＥがネットワーク側の期待よりも低い電力を割り当てたことを意味する。そこで、ネットワークに対して、ＵＥでの電力制限を通知すると都合が良い。これにより、ネットワークは、重畳を回避するスケジューリングを行ったり、重畳発生時に適切なリソース割り当てを行ったりすることができる。基地局に対してＵＥでの電力制限を通知するメカニズムは、電力ヘッドルームレポート（ＰＨＲ：Ｐｏｗｅｒ  Ｈｅａｄｒｏｏｍ  Ｒｅｐｏｒｔｉｎｇ）手順である。
【００４０】
現行の電力ヘッドルーム演算手順では、アップリンクのサブフレームが揃っていることを前提とする。上記概説のように一部が重畳する場合（Ｆ１のサブフレームｎの最後のシンボルがＦ２のサブフレームｎ＋１の最初のシンボルと重畳する場合）、この方法で演算したＰＨは誤りとなる。
【００４１】
ＰＨＲの演算は、関与する送信の種類に応じて若干異なる。ＰＵＳＣＨのみを送信するタイプ１のＰＨＲを例に挙げると、電力ヘッドルームの演算は以下の通りである。
ＰＨｔｙｐｅ１，ｃ（ｉ）＝ＰＣＭＡＸ，ｃ（ｉ）-｛１０ｌｏｇ１０（ＭＰＵＳＣＨ，ｃ（ｉ））＋ＰＯ＿ＰＵＳＣＨ，ｃ（ｊ）＋αｃ（ｊ）・ＰＬｃ＋ΔＴＦ，ｃ（ｉ）＋ｆｃ（ｉ）｝
ここで、ＰＣＭＡＸ，ｃ（ｉ）はコンポーネントキャリアの最大許容電力であり、｛｝内の項は、割り当てられたアップリンク許可に従ってトランスポートブロックを送信するのに要する電力を表す。
【００４２】
図９は、電力ヘッドルーム演算の時系列を示す図である。電力ヘッドルームレポートは、９０１で開始する。ＵＥは、Ｆ１のサブフレーム９０２およびＦ２のサブフレーム９０３においてアップリンク許可を受ける。対応する許可使用サブフレームｎ＋４は、それぞれＦ１およびＦ２においてリソース割り当て９０４および９０５を有する。また、ＵＥは、サブフレーム９０６においてもアップリンク許可を受け、対応する許可使用サブフレームｎ＋５は、リソース割り当て９０７を有する。許可使用サブフレーム９０４および９０５に基づく電力ヘッドルームレポートでは、リソース割り当て９０４における送信と重畳するリソース割り当て９０７の部分における送信に必要な電力を考慮しない。
【００４３】
ＰＨＲが開始となって、特定のＣＣがアップリンク許可を有していない場合、ＵＥは、所定のパラメータを用いて｛｝内の項（基準許可としても知られている）を演算する必要がある。これは、Ｆ１のサブフレームｎおよびＦ２のサブフレームｎ＋１の重畳シンボルにおける電力制限を反映しない電力ヘッドルーム演算となる。たとえば、図３のシナリオについて考えると、この場合は（たとえば、Ｆ１のダウンリンク経路損失の変化のため）サブフレームｎに基づいてＰＨＲが送信されることになる。ＵＥは、サブフレームｎにおけるアップリンク許可に基づいてＦ１のＰＨを演算するが、Ｆ２のサブフレームｎにおいてはＵＬ許可を有していないため、基準許可を用いてＦ２のＰＨを演算する。そして、ＵＥは、Ｆ１およびＦ２について演算したＰＨから成るＰＨＲをネットワークに送信する。
【００４４】
これを図１０に示す。ＵＥは、Ｆ１のサブフレームｎにおいてアップリンクリソース割り当て１００１を有する。また、Ｆ２のサブフレームｎ＋１においてアップリンクリソース１００２を有する。電力ヘッドルームレポートが開始となって、ＵＥは、Ｆ１およびＦ２のサブフレームｎに基づいて電力ヘッドルームを演算する。ただし、ＵＥは、Ｆ２のサブフレームｎにおいてアップリンクリソースが何ら割り当てられていない（１００４）。そこで、電力ヘッドルーム演算は、Ｆ１のサブフレームｎにおけるリソース割り当て１００１およびＦ２のサブフレームｎにおける所定のリソース割り当てに基づいて行う。この電力ヘッドルームでは、Ｆ２のサブフレームｎ＋１におけるリソース割り当て１００２を考慮しない。このため、重畳ＯＦＤＭシンボル（１００５）すなわちＦ１のサブフレームｎの最後のＯＦＤＭシンボルおよびＦ２のサブフレームｎ＋１の最初のＯＦＤＭシンボルにおいて必要な電力は、電力ヘッドルームレポートには反映されない。
【００４５】
図１１は、より正確な電力ヘッドルームの演算を示す図である。具体的には、同定サブフレームに基づいて論理回路３０１が開始キャリアの電力ヘッドルームを演算する（上記の場合は、サブフレームｎに基づいてＦ１のＰＨを演算する）。そして、論理回路３０１は、Ｆ２の２つのＰＨ、すなわち（ａ）サブフレームｎに基づくＰＨおよび（ｂ）サブフレームｎ＋１に基づくＰＨを演算する。その後、論理回路３０１は、それらの小さい方のＰＨ値を選択してＰＨＲに含める。電力ヘッドルームレポートは、１１０１で開始する。ＵＥは、Ｆ１のサブフレーム１１０２およびＦ２のサブフレーム１１０３においてアップリンク許可を受ける。対応する許可使用サブフレームｎ＋４は、それぞれＦ１およびＦ２においてリソース割り当て１１０６および１１０７を有する。また、ＵＥは、Ｆ２のサブフレーム１１０４においてもアップリンク許可を受け、対応する許可使用サブフレームｎ＋５は、リソース割り当て１１０８を有する。ＵＥは、リソース割り当て１１０６に基づいてＦ１の電力ヘッドルームを演算する。Ｆ２に関しては、リソース割り当て１１０７に基づいて第１の電力ヘッドルームを演算し、リソース割り当て１１０８に基づいて第２の電力ヘッドルームを演算する。ＵＥは、Ｆ１の電力ヘッドルームならびにＦ２の第１および第２の電力ヘッドルームのうちの小さい方を含む電力ヘッドルームレポートを構築する。この電力ヘッドルームは、１１１０で基地局に送信する。
【００４６】
また、論理回路３０１は、報告したＰＨＲが異なるキャリアの後続のサブフレーム間の重畳に基づくものであることを示すことができる。さらに、論理回路３０１は、電力上限に近付いている場合（たとえば、ＣＡ電力クラスと計画送信電力との差が小さく、ＵＥが電力上限に近い場合）にのみ、上記手順を適用することもできる。
【００４７】
ＵＥは、第１のサブフレームにおいてアップリンク許可を受ける。本明細書中では、このサブフレームを許可受付サブフレームと称する。このアップリンク許可は、第２のサブフレームにおいてＵＥの送信リソースに割り当てる。本明細書中では、このサブフレームを許可使用サブフレームと称する。許可受付サブフレームおよび許可使用サブフレームでは、アップリンク許可の処理および送信のためのトランスポートブロックの構築を行うのに十分な時間がＵＥに与えられる。ＬＴＥ  ＦＤＤシステムにおいては、サブフレームｎが許可受付サブフレームである場合、許可使用サブフレームはサブフレームｎ＋４である。ＬＴＥ  ＴＤＤにおいては、サブフレームｎが許可受付サブフレームである場合、許可使用サブフレームはｎ＋ｋである。ここで、ｋは、アップリンク／ダウンリンク設定によって決まる。
【００４８】
以下、電力ヘッドルームレポートの説明を続ける。上記手法では、遅延後のＰＨＲ演算に論理回路３０１が必要である。この問題に対処するため、ＴＡ（Ｆ２）がＴＡ（Ｆ１）よりΔＴＡだけ大きい場合は、
１．ＰＨＲが開始となってＵＥがアップリンク許可を受けると、ＵＥは初めに、対応する許可使用サブフレームを特定する。その後、許可使用サブフレームおよびその後続のサブフレームに基づいて、上述の通り２つの電力ヘッドルームを演算する。
２．ＵＥは、許可使用サブフレームにおいてはＰＨＲを送信せず、次の利用可能なアップリンク許可まで（同じＰＨＲの）送信を遅らせる。
【００４９】
また、ＵＥは、電力ヘッドルーム演算の基本としたサブフレームを示していてもよい。
シンボルレベルＰＨＲ
別のオプションでは、シンボルレベルＰＨＲを規定する。シンボルレベルＰＨＲは、あるキャリアの先行または後続サブフレームのシンボルと重畳する別のキャリアのサブフレームのシンボルの電力ヘッドルームを基地局に示すものである。この方法では、論理回路３０１がシンボル番号を特定して、そのＰＨを（通常のＰＨに対する差分または絶対値として）報告する。たとえば、ＵＥは、（サブフレームｎに基づく）Ｆ２の通常のＰＨＲのほか、重畳シンボルについて、Ｆ２のシンボルレベルＰＨＲを報告する。
【００５０】
一手法としては、ＴＡ（Ｆ２）が大きい方のキャリアの許可使用サブフレームの後続サブフレームの最初のシンボルについて、シンボルレベルＰＨを演算して報告する。この場合、ＵＥは初めに、許可使用サブフレームの後続サブフレームにおけるＵＬ割り当てを把握する必要がある。ＵＥ１０３は、許可受付サブフレームの１サブフレーム後まで許可使用サブフレームの後続サブフレームのＵＬ割り当てを把握しないものとすると、当該サブフレームで報告するＰＨＲには、シンボルレベルＰＨを含むことができなくてもよい。あるいは、ＴＡが大きい方のキャリアのサブフレームの最初のシンボルについて、シンボルレベルＰＨを演算することも可能である。この場合、ＵＥは、当該サブフレームで報告するＰＨＲにシンボルレベルＰＨを含むことができる。これを図１２ａおよび図１２ｂに示す。ＵＥは、Ｆ１のサブフレームｎにおいてアップリンクリソース割り当て１２０１を有し、Ｆ２のサブフレームｎにおいてアップリンクリソース割り当て１２０２を有する。また、Ｆ２のサブフレームｎ＋１においてアップリンクリソース１２０３を有する。電力ヘッドルームレポートが開始となって、ＵＥは、Ｆ１およびＦ２のサブフレームｎに基づいて電力ヘッドルームを演算する（１２０４）。この電力ヘッドルーム演算は、Ｆ１のサブフレームｎにおけるリソース割り当て１２０１およびＦ２のサブフレームｎにおけるリソース割り当て１２０２に基づいて行う。あるいは、ＵＥがＦ２のサブフレームｎにリソース割り当てを有していない場合は、基準リソース割り当てを使用する。また、ＵＥは、重畳するシンボルについて、シンボルレベル電力ヘッドルームを演算する。たとえば、ＵＥは、Ｆ２のサブフレームｎ＋１の最初のシンボル１２１１について、電力ヘッドルームを演算する。シンボルレベル電力ヘッドルームは、当該シンボルにおける送信中に利用可能な電力ヘッドルームを示す。また、シンボルレベル電力ヘッドルームは、サブフレームｎで送信する電力ヘッドルームレポートに含めることができる。サブフレームｎにおける電力ヘッドルームレポートの送信に対して処理時間が十分でない場合は、サブフレームｎ＋１における別個のレポートにおいてシンボルレベル電力ヘッドルームを送信することも可能である。
【００５１】
あるいは、ＵＥは、Ｆ１のサブフレームｎにおいてアップリンクリソース割り当て１２５１を有し、Ｆ２のサブフレームｎにおいてアップリンクリソース割り当て１２５２を有する。また、Ｆ２のサブフレームｎ＋１においてアップリンクリソース１２５３を有する。電力ヘッドルームレポートが開始となって、ＵＥは、Ｆ１およびＦ２のサブフレームｎに基づいて電力ヘッドルームを演算する（１２５４）。この電力ヘッドルーム演算は、Ｆ１のサブフレームｎにおけるリソース割り当て１２５１およびＦ２のサブフレームｎにおけるリソース割り当て１２５２に基づいて行う。あるいは、ＵＥがＦ２のサブフレームｎにリソース割り当てを有していない場合は、基準リソース割り当てを使用する。また、ＵＥは、重畳するシンボルについて、シンボルレベル電力ヘッドルームを演算する。たとえば、ＵＥは、Ｆ２のサブフレームｎの最初のシンボル１２６１について、電力ヘッドルームを演算する。また、シンボルレベル電力ヘッドルームは、サブフレームｎで送信する電力ヘッドルームレポートに含めることができる。
【００５２】
図１３は、図３のＵＥ３００の動作を示すフローチャートである。ＵＥ３００は、異なる周波数で基地局アンテナおよびＲＲＨ１０２の両者からの基地局１０１の送信を受信機３０２が受信するように、キャリアアグリゲーションを行う。同様に、送信機３０３は、第１の周波数で基地局アンテナへ直接送信するとともに第２の周波数でＲＲＨ１０２へ直接送信することによって、アップリンク信号を基地局１０１に送信する。上述の通り、ＲＲＨは、有線またはファイバ接続を介して基地局に中継伝送されるアンテナを含む。
【００５３】
論理フローがステップ１３０１で開始となり、受信機３０２は、タイミングアドバンスと併せて、各割り当て周波数からのアップリンクおよびダウンリンクの周波数割り当てを受信する。ステップ１３０３において、論理回路３０１は、第１の周波数の第１のフレームにおいて、第１のタイミングアドバンスを用いた基地局の第１のアンテナへの第１の送信をスケジューリングする。また、論理回路は、ステップ１３０５において第２の送信をスケジューリングする。この第２の送信は、第２のフレームにおいて、第２のタイミングアドバンスを用いた基地局の第２のアンテナへの送信としてスケジューリングする。第２のフレームは第１のフレームに遅れて発生し、第２のタイミングアドバンスは第１のタイミングアドバンスよりも大きい。そして、論理回路３０１は、第１の送信および第２の送信が重畳するか否かを判定し（ステップ１３０７）、この判定に応答して、少なくとも第１の送信または第２の送信の電力を低減するよう送信機３０３に指示する（ステップ１３０９）。この論理フローは、ステップ１３１１で終了となる。
【００５４】
上述の通り、第１の送信および第２の送信が重畳するか否かを判定する工程は、第１の送信のｎ番目のサブフレームのＯＦＤＭシンボル長の少なくとも一部が第２の送信のｎ＋１番目のサブフレームのＯＦＤＭシンボル長と重畳するものと判定する工程を含んでいてもよい。また、少なくとも第１または第２の送信の電力を低減する工程は、非優先的な送信の電力低減に先立って、第１または第２の送信を優先させる工程を含んでいてもよい。さらに、電力を低減する工程は、第１の送信のｎ番目のサブフレームの第１のスロットに対応した第１の時間にわたって電力を低減する工程を含んでいてもよいし、電力をゼロまで低減する（送信停止する）工程を含んでいてもよい。
【００５５】
以上、特定の実施形態により本発明を具体的に図示して説明したが、当業者には当然のことながら、本発明の技術思想と範囲から逸脱することなく形態および詳細を種々変更可能である。また、そのような変更についても、以下の請求の範囲に含まれるものとする。
【図１】
0005794652.tif 000002
【図２】
0005794652.tif 000003
【図３】
0005794652.tif 000004
【図４】
0005794652.tif 000005
【図５】
0005794652.tif 000006
【図６】
0005794652.tif 000007
【図７】
0005794652.tif 000008
【図８】
0005794652.tif 000009
【図９】
0005794652.tif 000010
【図１０】
0005794652.tif 000011
【図１１】
0005794652.tif 000012
【図１２】
0005794652.tif 000013
【図１３】
0005794652.tif 000014